(57)【要約】【課題】  チェーンテンション構造において、車両のホイールベースを変更することがなく、また、調整作業を容易に行えるようにする。【解決手段】  車体フレームの下部に配置された駆動スプロケットと、後輪側に取付けられた被動スプロケットとにチェーン５６を巻き掛け、このチェーン５６にテンションローラ６１で張力を与えるチェーンテンション構造において、テンションローラ６１を、その回転軸としての六角穴付きボルト６６を車体フレームに設けた板状突部３３ｂに開けた長穴３３ｃに挿入することで取付ける。【選択図】      図３
2005225285.tif 000002
【特許請求の範囲】
【請求項１】
車体フレームの下部に配置された駆動スプロケットと、後輪側に取付けられた被動スプロケットとにチェーンを巻き掛け、このチェーンにテンションローラで張力を与えるチェーンテンション構造において、
前記テンションローラは、その回転軸を前記車体フレームに設けたブラケットに開けた長穴に挿入することで取付けられることを特徴とするチェーンテンション構造。
【請求項２】
前記ブラケットは、前記後輪の前端よりも前方に配置されるとともに、車体フレームの後面に設けられることを特徴とする請求項１記載のチェーンテンション構造。
【請求項３】
前記テンションローラは、前記チェーンを弛み側の下方から押圧することを特徴とする請求項１又は請求項２記載のチェーンテンション構造。
【発明の詳細な説明】
【技術分野】
【０００１】
本発明は、駆動力を伝達するチェーンに張力を与えるチェーンテンション構造に関するものである。
【背景技術】
【０００２】
従来のチェーンテンション構造として、後輪の車軸を移動させてチェーンの張力を調整するものが知られている（例えば、特許文献１参照。）。
【特許文献１】特開平５−１０５１７９号公報
【０００３】
特許文献１の図３（ａ）〜（ｃ）を以下の図２２（ａ）〜（ｃ）で説明する。なお、符号は振り直した。
図２２（ａ）〜（ｃ）は従来のチェーンテンション構造を示す説明図である。
（ａ）は車輪を後車軸３０１を介して上下スイング自在に支持する左右一対のリヤアーム部材のうちの一方のリヤアーム部材３０２の断面を側方から見たものであり、リヤアーム部材３０２は内部に後車軸３０１を支持する車軸ホルダ３０３を備え、この車軸ホルダ３０３に取付けたボルト３０４の端部をリヤアーム部材３０２の後端に貫通させ、ボルト３０４の端部に第１ナット３０６及び第２ナット３０７をねじ込む。なお、３０８は後車軸３０１の位置を調整するときの目安とするために車軸ホルダ３０３の側面に設けた目盛である。
【０００４】
（ｂ）はリヤアーム部材３０２の横断面図であり、リヤアーム部材３０２を矩形状の閉断面構造とし、このリヤアーム部材３０２内に車軸ホルダ３０３を配置したことを示す。
（ｃ）はリヤアーム部材３０２の断面を上方から見たものであり、リヤアーム部材３０２の外壁及び内壁にリヤアーム部材３０２の長手方向に長く形成した長孔３０９，３０９を設け、ボルト状の後車軸３０１を外壁の長孔３０９、車軸ホルダ３０３に開けた内孔３１１及び内壁の長孔３０９及び車輪に貫通させたことを示す。
車輪にはスプロケットが一体的に取り付けられ、このスプロケットにチェーンが掛けてある。
【０００５】
上記のチェーンの張りを調整するには、後車軸３０１の端部にねじ結合した図示せぬナットを弛め、次に、第２ナット３０７を弛め、第１ナット３０６を回すことで、車軸ホルダ３０３とともに後車軸３０１が長孔３０９，３０９に沿って移動し、車輪側のスプロケットも後車軸３０１と一体的に移動するため、チェーンの張力を調整することが可能になる。
【発明の開示】
【発明が解決しようとする課題】
【０００６】
上記技術では、チェーンの張りを調整するのに後車軸３０１を移動させるため、二輪車の他方の車輪（前輪）の車軸と後車軸３０１との距離（即ち、ホイールベースである。）が変化するので、例えば、二輪車の旋回性能に影響を与えることが考えられる。
【０００７】
また、リヤアーム部材３０２側で後車軸３０１を調整するのに加えて、他方のリヤアーム部材側でも同様に後車軸３０１の調整を行う必要がある。しかも、チェーンの張り具合によっては両方のリヤアーム部材での調整を何回か繰り返すこともあり、調整作業の改善が望まれる。
【０００８】
本発明の目的は、チェーンテンション構造を改良することで、車両のホイールベースを変更することがなく、また、調整作業を容易に行えるようにすることにある。
【課題を解決するための手段】
【０００９】
請求項１に係る発明は、車体フレームの下部に配置された駆動スプロケットと、後輪側に取付けられた被動スプロケットとにチェーンを巻き掛け、このチェーンにテンションローラで張力を与えるチェーンテンション構造において、テンションローラを、その回転軸を車体フレームに設けたブラケットに開けた長穴に挿入することで取付けることを特徴とする。
【００１０】
テンションローラの回転軸をブラケットの長穴に沿って移動させることでテンションローラ位置を調整することができる。また、１ヶ所でチェーンの張りの調整を行うことが可能になる。
【００１１】
請求項２に係る発明は、ブラケットを、後輪の前端よりも前方に配置するとともに、車体フレームの後面に設けたことを特徴とする。
ブラケット及びテンションローラを、車体の中央寄りに、しかも、比較的大きなスペースに配置することができる。
【００１２】
請求項３に係る発明は、テンションローラで、チェーンを弛み側の下方から押圧することを特徴とする。
テンションローラでチェーンの弛み側の下方から押圧することで、チェーンに効果的に張力を与えることができ、また、チェーンを下から上へ押圧するため、チェーンの中間部の位置が高くなる。
【発明の効果】
【００１３】
請求項１に係る発明では、テンションローラの回転軸をブラケットの長穴に沿って移動させることでテンションローラ位置を調整することができ、チェーンの張力調整を容易に行うことができる。従って、例えば、従来のように、リヤフォークの後端に後輪の車軸を取付けるための長穴を設けた構造において、チェーンの張りを調整するときに、前輪と後輪との距離が変化したり、リヤフォークの左右でそれぞれ車軸位置を調整する必要があるのに比べて、本発明では、前輪と後輪との距離が変化せず、走行性に影響を与えることがない。また、１ヶ所でチェーンの張りの調整を行うことが可能になり、チェーン張力の調整作業が簡単になる。
【００１４】
請求項２に係る発明では、ブラケット及びテンションローラを車体の中央寄りに配置することができ、車体中央寄りへのマスの集中化を図ることができて、車両の旋回性能を向上させることができる。また、後輪より前方で且つ車体フレームの後面近傍の比較的大きなスペースにテンションローラを配置でき、テンションローラでのチェーン張力の調整作業を容易に行うことができる。
【００１５】
請求項３に係る発明では、テンションローラでチェーンの弛み側の下方から押圧するので、チェーンに効果的に張力を与えることができる。また、チェーンを下から上へ押圧するため、チェーンの中間部の位置が高くなり、地上高を確保することができる。
【発明を実施するための最良の形態】
【００１６】
本発明を実施するための最良の形態を添付図に基づいて以下に説明する。なお、図面は符号の向きに見るものとする。
図１は本発明に係るチェーンテンション構造を採用した車両の側面図であり、車両としてのダウンヒルバイク１０は、林道やシーズン以外のスキー場などに設けたコースを下ってタイムを競うダウンヒル競技用の自転車であり、車体フレーム１１の前端に備えるヘッドパイプ１２にフロントフォーク１３を操舵自在に取付け、このフロントフォーク１３の下端に前輪１４を取付け、フロントフォーク１３の上部にバーハンドル１６を取付け、車体フレーム１１の後部に上下スイング自在にリヤフォーク１７を取付け、このリヤフォーク１７の後端に後輪１８を取付け、この後輪１８へ駆動力を伝えるために車体フレーム１１の下部に変速装置２２を取付け、この変速装置２２の入力軸となるクランク軸２３の両端にそれぞれ左右のアーム２４，２６（手前側の符号２６のみ示す。）を介して左右のペダル２７，２８（手前側の符号２８のみ示す。）を取付けたものである。
【００１７】
車体フレーム１１は、ヘッドパイプ１２から後方斜め下方に延ばすとともに後部を上部延出部１１ａと下部延出部１１ｂとに二股状に形成したメインフレーム３１と、上部延出部１１ａの後端に取付けた左右一対の後部フレーム３２，３３（手前側の符号３３のみ示す。）と、これらの後部フレーム３２，３３の先端及び下部延出部１１ｂの先端にそれぞれ渡して取付けた左右一対の下部フレーム３４，３５（手前側の符号３５のみ示す。）とからなり、これらの上部延出部１１ａ、下部延出部１１ｂ、後部フレーム３２，３３及び下部フレーム３４，３５をループ状に連結し、後部フレーム３２，３３及び下部フレーム３４，３５に変速装置２２を取付けた部材である。
【００１８】
ここで、４１は前輪１４用のディスクブレーキ装置、４２は前輪１４の上方を覆うフロントフェンダ、４３は後部フレーム３２，３３にサドルフレーム４４を介して取付けたサドル、４６はメインフレーム３１の後端とリヤフォーク１７の上部とに渡したリヤクッションユニット、４７は後輪１８用のディスクブレーキ装置である。
【００１９】
図２は本発明に係るダウンヒルバイクの要部側面図（図中の矢印（ＦＲＯＮＴ）は車両前方を表す。以下同じ。）であり、リヤフォーク１７は、車体フレーム１１を構成する後部フレーム３２，３３（手前側の符号３３のみ示す。）にピボット軸５１を介して取付けた部材である。
【００２０】
変速装置２２に備える出力軸５２側に取付けた駆動スプロケット５３と、後輪１８（図１参照）の車軸５４側に取付けた被動スプロケット５５とは、これらの駆動スプロケット５３及び被動スプロケット５５のそれぞれに掛けたチェーン５６で連結したものである。
【００２１】
ここで、５８はチェーン５６の張り側５６ａに下方から当てるために後部フレーム３３に回転自在に取付けたローラ、６１はチェーン５６の弛み側５６ｂに下方から当ててチェーン５６を張るために後部フレーム３３に取付けたテンションローラ、６２はテンションローラ６１をチェーン５６にほぼ直交する方向に移動させるテンションローラ移動機構、６３はテンションローラ６１及びテンションローラ移動機構６２で構成するチェーン張力調整装置である。
【００２２】
図３（ａ），（ｂ）は本発明に係るチェーン張力調整装置の説明図である。
（ａ）は側面図であり、後部フレーム３３の後面３３ａに一体に板状突部３３ｂを設け、この板状突部３３ｂに縦長の長穴３３ｃを開け、この長穴３３ｃに六角穴付きボルト６６を通し、板状突部３３ｂにチェーン張力調整装置６３を取付けたことを示す。
【００２３】
板状突部３３ｂは、後輪１８（図１参照）の前端よりも前方に配置した部分であり、このような位置に板状突部３３ｂを配置したことで、チェーン張力調整装置６３をダウンヒルバイク１０（図１参照）の比較的大きなスペースに配置することができる。
【００２４】
（ｂ）は（ａ）のｂ−ｂ線断面図であり、テンションローラ移動機構６２は、板状突部３３ｂに被せた断面コ字状の取付部材７１と、この取付部材７１に被せることでチェーン５６の一側方への移動を規制する規制部材７２と、この規制部材７２に設けたボルト挿通穴７２ａを貫通させるとともに取付部材７１の上部に設けためねじ７１ａにねじ込み、且つ先端を板状突部３３ｂの上端に設けた窪み部３３ｄに押し当てたアジャストボルト７３と、このアジャストボルト７３の回転止めとするロックナット７４と、取付部材７１に設けたボルト挿通穴７１ｂ及び筒部７１ｃに通した六角穴付きボルト６６とからなる。
【００２５】
テンションローラ６１は、円筒部７６ａ及びこの円筒部７６ａの端部に設けたフランジ７６ｂからなるローラ本体７６と、このローラ本体７６の内周面に嵌合させたベアリング７７と、六角穴付きボルト６６とねじ結合させたナット部材７８と、ベアリング７７の両側にそれぞれ配置したシール部材８１，８２と、円筒部７６ａの外周面に嵌めることでチェーン５６を弾性的に支持する筒状のゴム８３とからなり、取付部材７１の筒部７１ｃとナット部材７８とでベアリング７７を挟むとともにベアリング７７を貫通させた六角穴付きボルト６６の先端をナット部材７８にねじ込むことで取付部材７１にテンションローラ６１を取付ける。
【００２６】
図４は本発明に係る後輪への駆動力伝達部の要部を示す断面図であり、後輪１８（図１参照）用の車軸５４にベアリング８５，８６を介してハブ８７を取付け、このハブ８７に一方向クラッチ（ワンウェイクラッチ又はフリーホイールクラッチとも言う。）８８及びＯリング９１を介して被動スプロケット５５を結合したことを示す。
【００２７】
一方向クラッチ８８は、変速装置２２（図１参照）側から駆動力が伝達されるときには、被動スプロケット５５に対してハブ８７を一体的に結合させて共に回転させ、この回転方向とは逆に被動スプロケット５５が回転したときにはハブ８７に回転を伝えない。
【００２８】
ここで、９２はＯリング９１を嵌めるためにハブ８７の端部外周面に形成した環状溝、９３は被動スプロケット５５がハブ８７から抜けるのを防止するためにハブ８７の端面８７ａに複数のボルト９４で取付けた抜け止め用キャップ、９６はベアリング８５，８６間の距離を保つカラー、９７，９８はシール部材、１０１はハブ８７とリム（不図示）とを連結するスポーク、１０２はベアリング８５，８６を位置決めするためにベアリング８５，８６のそれぞれの端面に押し当てたディスタンスカラーである。
上記のハブ８７、スポーク１０１、リム（不図示）、リムに装着したタイヤ（不図示）は、駆動輪としての後輪１８（図１参照）を構成するものである。
【００２９】
図５は図４の５−５線断面図であり、一方向クラッチ８８は、インナクラッチとしてのハブ８７と、このハブ８７に径方向にスイング自在に取付けた爪部材１０３と、この爪部材１０３の先端が係合する係合凹部５５ａを内周面に複数形成した筒状のアウタクラッチ１０４と、爪部材１０３を弾性力で係合凹部５５ａに押し付けるスプリング１０５とからなり、周方向に１８０°の間隔で爪部材１０３を２個配置したものである。なお、８７ｂは抜け止め用キャップ９３（図４参照）を取付けるボルト９４（図４参照）をねじ込むめねじである。
【００３０】
爪部材１０３は、ハブ８７の外周面に設けた凹部８７ｃに配置したものであり、凹部８７ｃ内に形成した半円状凹部８７ｄに回転自在に嵌めたピン１０７と、このピン１０７に取付けた爪本体１０８とからなる。
アウタクラッチ１０４は、被動スプロケット５５（図４参照）に一体に形成したものである。
以上に述べたペダル２７，２８（図１参照。符号２７は不図示。）から一方向クラッチ８８までが、ダウンヒルバイク１０（図１参照）の駆動力伝達部である。
【００３１】
図６は本発明に係る変速装置を説明する側面図であり、変速装置２２を構成する左右２つ割りのケース１１０のうちの右ケース（不図示）を外した状態を示す。１１１はケース１１０の左ケースである。
【００３２】
変速装置２２は、ケース１１０に回転自在に取付けたクランク軸２３と、このクランク軸２３に一方向クラッチ（不図示。後で詳述する。）及びスライド機構１１４を介して結合した大スプロケット１１６と、クランク軸２３の前方斜め上方に配置するとともにケース１１０に回転自在に取付けた出力軸５２と、この出力軸５２に取付けた変速用スプロケット１２１〜１２７と、大スプロケット１１６及び変速用スプロケット１２１〜１２７のいずれか（図では最も大きな変速用スプロケット１２１を示す。）に掛けた変速用チェーン１２８（太い一点鎖線でも示した。）と、この変速用チェーン１２８を変速用スプロケット１２１〜１２７のいずれかに掛け替えるために変速用チェーン１２８を側方（即ち、図の表裏方向である。）に移動させるディレイラー（ｄｅｒａｉｌｌｅｕｒ：自転車用外装変速機（「ｄｅｒａｉｌ」は脱線させるの意。））１３１と、変速用チェーン１２８を変速用スプロケット１２１〜１２７側から大スプロケット１１６側に案内するチェーン案内部材１３２とを備える。
【００３３】
ディレイラー１３１は、ケース１１０に取付けた支軸１３５と、この支軸１３５に取付けたベース部１３６と、このベース部１３６にスイング自在に取付けた第１リンク１３７及び第２リンク１３８と、これらの第１リンク１３７及び第２リンク１３８のそれぞれの先端に取付けたブラケット１４１と、このブラケット１４１に取付けた支軸１４２と、この支軸１４２に回転自在に取付けたスプロケットとしてのガイドプーリー１４３と、支軸１４２にスイング自在に取付けたプーリー支持プレート１４４，１４６（手前側の符号１４６のみ示す。）と、これらのプーリー支持プレート１４４，１４６に取付けた支軸１４７と、この支軸１４７に回転自在に取付けたスプロケットとしてのテンションプーリー１４８と、ブラケット１４１に対してプーリー支持プレート１４４，１４６を支軸１４２を中心にして時計回りに付勢することでテンションプーリー１４８にチェーン張力を発生させるトーションスプリング（不図示。詳細は後述する。）とからなる。なお、１５５は第１リンク１３７に先端を取付けた変速用ケーブルであり、変速用チェーン１２８を変速用スプロケット１２１〜１２７のいずれかに掛け替えるために第１リンク１３７及び第２リンク１３８をスイングさせてガイドプーリー１４３及びテンションプーリー１４８を紙面の表裏方向に移動させるためのものである。
【００３４】
図７は本発明に係る変速装置の第１断面図であり、クランク軸２３と出力軸５２とを通る断面を示す。
変速装置２２は、ケース１１０を左ケース１１１と右ケース１１２とから構成し、これらの左ケース１１１及び右ケース１１２にベアリング１６１，１６２を介してクランク軸２３を取付け、同じく左ケース１１１及び右ケース１１２にベアリング１６３，１６４を介して中空の出力軸５２を取付け、これらの左ケース１１１及び右ケース１１２を後部フレーム３２，３３（図１参照）に設けた取付部３２ｅ，３２ｆ，３３ｅ，３３ｆに複数の取付ボルト１６６で取付けたものである。なお、１６７，１６８，１６９はシール部材である。
【００３５】
大スプロケット１１６は、クランク軸２３の長手方向中央よりも右側に配置した一方向クラッチ１１３と、複数のボール１７０を備えるスライド機構１１４とを介してクランク軸２３に結合した部材である。即ち、駆動力は、クランク軸２３→一方向クラッチ１１３→スライド機構１１４→大スプロケット１１６という経路を伝わる。
【００３６】
出力軸５２は、ケース１１０内に変速用スプロケット１２１〜１２７を取付け、ケース１１０外に駆動スプロケット５３を取付けたものである。
変速用スプロケット１２１〜１２７は、歯数が最も多い（即ち、外径が最も大きい）１段目の変速用スプロケット１２１から歯数が最も少ない（即ち、外径が最も小さい）７段目の変速用スプロケット１２７までを変速装置２２の左方（図の上方）から右方（図の下方）に順に並べたものである。
【００３７】
変速用チェーン１２８が変速用スプロケット１２１〜１２７のいずれか（ここでは、変速用スプロケット１２１）に掛け替えられると、そのときに変速用チェーン１２８を介して大スプロケット１１６に作用する変速装置２２の側方への力によって、大スプロケット１１６は、スライド機構１１４によって、掛け替えられる変速用スプロケット１２１〜１２７のいずれかに対応する位置へクランク軸２３に沿って移動する。
【００３８】
図８は本発明に係る変速装置の第２断面図であり、クランク軸２３とピボット軸５１とディレイラー１３１の支軸１３５，１４２とを通る断面を示す。
ディレイラー１３１は、ベース部１３６、ブラケット１４１間に第１リンク１３７及び第２リンク１３８を平行に取付けることで、ガイドプーリー１４３を変速装置２２の左右方向に平行に移動させるとともに、支軸１３５の軸線１３５ａに対して第１リンク１３７及び第２リンク１３８のそれぞれのスイング軸を傾けて取付けることで、図の表裏方向へも移動させるようにしたものである。
【００３９】
ガイドプーリー１４３が変速装置２２の左右方向に移動すれば、ガイドプーリー１４３に掛けた変速用チェーン１２８を介して大スプロケット１１６が変速装置２２の左右方向に移動する。
【００４０】
図９は本発明に係る変速装置の第３断面図であり、出力軸５２とディレイラー１３１の支軸１４２，１４７とを通る断面を示す。
ディレイラー１３１は、第１リンク１３７（図８参照）及び第２リンク１３８（図８参照）によって、ガイドプーリー１４３及びテンションプーリー１４８を変速装置２２の左右方向に移動させたときに、掛け替えた変速用スプロケット１２１〜１２７のいずれかとガイドプーリー１４３との距離ががほぼ同一となるように変速装置２２の左右方向に移動しつつ変速装置２２の前後方向に移動する。例えば、１段目の変速用スプロケット１２１に変速用チェーン１２８を掛け替えるときには、ガイドプーリー１４３は前方斜め左方に移動して変速用スプロケット１２１の前方に接近し、７段目の変速用スプロケット１２７に変速用チェーン１２８を掛け替えるときには、ガイドプーリー１４３は後方斜め右方へ移動して変速用スプロケット１２７の前方に接近する。
【００４１】
図１０は本発明に係るクランク軸及びその周囲の構造を示す要部断面図であり、一方向クラッチ１１３は、クランク軸２３に一体に設けたインナクラッチ２３ａと、クランク軸２３に複数のニードル１７１を介して回転自在に取付けたアウタクラッチとしての筒状部材１７２と、これらのインナクラッチ２３ａ及び筒状部材１７２のそれぞれの間に介在させた複数の爪部材１７３と、これらの爪部材１７３を弾性力で筒状部材１７２に押し付ける複数のリング状のスプリング１７４とからなる。
【００４２】
スライド機構１１４は、筒状部材１７２と、この筒状部材１７２に設けた複数の外面溝１７２ａ内にそれぞれ配置した複数のボール１７０と、これらのボール１７０が配置される複数の溝１７７ａを形成した大径筒部材１７７と、溝１７７ａからボール１７０が外れないように大径筒部材１７７の内周面両端部に嵌めたリング部材１７８，１７８とからなり、大径筒部材１７７の外周面に一体に設けたフランジ１７７ｂに複数のリベット１８１で大スプロケット１１６を取付けることで、大スプロケット１１６をクランク軸２３の軸方向にスライド可能とするものである。なお、１８３，１８４は変速用チェーン１２８が大スプロケット１１６から外れるのを防止するために大スプロケット１１６の外周近傍の側面に複数のリベット１８５で取付けたチェーン外れ防止部材である。
【００４３】
図１１は本発明に係る出力軸及びその周囲の構造を示す要部断面図であり、変速用スプロケット１２１〜１２３をスプロケット支持部材１９１にそれぞれリベット１９３〜１９５で取付け、出力軸５２にスプロケット支持部材１９１をスプライン結合し、同じく出力軸５２に変速用スプロケット１２４〜１２７をそれぞれスプライン結合し、最も変速装置２２の右方に配置した変速用スプロケット１２７の右方に、変速用スプロケット１２７に掛けた変速用チェーン１２８が外れるのを防止するためにチェーン外れ止め用フランジ部材１９７を嵌め、このチェーン外れ止め用フランジ部材１９７の右方にナット部材１９８をねじ込むことで、出力軸５２に変速用スプロケット１２１〜１２７を取付けたことを示す。
【００４４】
ここで、２０１は変速用スプロケット１２１に掛けた変速用チェーン１２８が外れるのを防止するために左ケース１１１の内壁に取付けたチェーン外れ止め用プレート、２０２は出力軸５２に駆動スプロケット５３を取付けるためのボルト、２０３はワッシャ、２０６は変速用スプロケット１２４，１２５間の距離を保つカラーである。
【００４５】
図１２は本発明に係るディレイラーの構造を示す第１断面図であり、ディレイラー１３１のベース部１３６は、その両端部を、左ケース１１１に設けた左取付座１１１ａと右ケース１１２に設けた右取付座１１２ａとにそれぞれ当てるとともに、ボルト状の支軸１３５を右取付座１１２ａ、ベース部１３６、左取付座１１１ａに貫通させて端部にナット（不図示）をねじ込むことでケース１１０に取付けたものである。
【００４６】
第１リンク１３７は、２つのリンクプレート１３７ａ，１３７ｂを一体に連結したものであり、ベース部１３６にピン２１１でスイング自在に取付け、ブラケット１４１にピン２１２でスイング自在に取付ける。
【００４７】
第２リンク１３８は、２つのリンクプレート１３８ａ，１３８ｂ（手前側の符号１３８ａのみ示す。）を一体に連結したものであり、ベース部１３６にピン２１３でスイング自在に取付け、ブラケット１４１にピン２１４でスイング自在に取付ける。
【００４８】
取付けた状態のピン２１１，２１３は、それらの右方側端部（図の下方側）が、左方側端部（図の上方側）よりも手前側となるように支軸１３５に対して約４０°傾けた部材である。
【００４９】
第１リンク１３７は、変速用ケーブル１５５の端部を支持するケーブル支持部１３７ｃを一体に形成した部材である。
変速用ケーブル１５５は、アウタチューブ２１６と、このアウタチューブ２１６内に移動自在に挿入したインナワイヤ２１７とからなり、左ケース１１１に嵌めたグロメット２１８を貫通させ、ベース部１３６に一体成形したケーブル支持部１３６ａにアウタチューブ２１６の端部を挿入し、第１リンク１３７のケーブル支持部１３７ｃにインナワイヤ２１７の先端に設けた係止片２２１を係止したものである。
【００５０】
図では、変速用ケーブル１５５のインナワイヤ２１７を図の右方に引いてガイドプーリー１４３を変速用スプロケット１２１（図１１参照）に対応する位置に移動した状態を示す。この状態からインナワイヤ２１７を弛めれば、図示せぬスプリング（詳細は後述する。）の弾性力によって第１リンク１３７及び第２リンク１３８は下方にスイングする。
【００５１】
図１３は本発明に係るディレイラーの構造を示す第２断面図であり、ディレイラー１３１のブラケット１４１にほぼカップ状のスプリング収納部１４１ｂを一体成形し、このスプリング収納部１４１ｂに２個のトーションスプリング（ねじりコイルばねである。）２２３，２２４を同心円状に重ねて収納したことを示す。トーションスプリング２２３，２２４は、その弾性力によってプーリー支持プレート１４４，１４６に支軸１４２を中心にした回転力を与え、これによって、テンションプーリー１４８は無端状の変速用チェーン１２８をその内方から押すために、変速用チェーン１２８に張力が発生する。
【００５２】
支軸１４２は、ブラケット１４１のスプリング収納部１４１ｂと、ブラケット１４１を構成する支持プレート２２６とに渡したものである。なお、２２７はボルト状の支軸１４２の端部にねじ込んだナットである。
ガイドプーリー１４３は、支軸１４２に、ブッシュ２３１、筒状部材２３２、複数のニードル２３３、カラー２３４を介して取付けた部材である。
【００５３】
プーリー支持プレート１４４，１４６は、筒状部材２３２の端部に設けた段部２３２ａ，２３２ｂにそれぞれスイング自在に嵌合させた部材である。
テンションプーリー１４８は、プーリー支持プレート１４４，１４６に渡した支軸１４７にベアリング２３５を介して取付けた部材である。
【００５４】
図１４は本発明に係るクランク軸に設けた一方向クラッチの断面図であり、クランク軸２３のインナクラッチ２３ａの外周面に断面円弧状の円弧溝２３ｂを複数設け、これらの円弧溝２３ｂにそれぞれ断面がほぼ半円状の基部１７３ａを備えた爪部材１７３をスイング自在に挿入し、基部１７３ａを締め付けるようにインナクラッチ２３ａにリング状のスプリング１７４を嵌めることで、アウタクラッチとしての筒状部材１７２の内周面に設けた複数の内面溝１７２ｂに爪部材１７３の先端を弾性的に押し付けたことを示す。
【００５５】
図１５は本発明に係るディレイラーの第１リンク及び第２リンクを示す断面図であり、ベース部１３６に第２リンク１３８を取付けるためのピン２１３と、ブラケット１４１に第１リンク１３７を取付けるためのピン２１２とにスプリング（引張コイルばねである。）２３７を掛け渡したことを示す。これにより、スプリング２３７の引張力によって、ベース部１３６に対して第１リンク１３７及び第２リンク１３８を介してブラケット１４１に矢印の方向へ移動させる力を発生させる。
【００５６】
以上に述べたチェーン張力調整装置６３の作用を次に説明する。
図１６（ａ），（ｂ）は本発明に係るチェーン張力調整装置の作用を示す断面図である。なお、形状を理解しやすくするために、後部フレーム３３の板状突部３３ｂにクロスハッチングを施した。
（ａ）において、まず、六角穴付きボルト６６を六角レンチで矢印の方向に回して弛める。次に、ロックナット７４を矢印の方向に回転させて弛める。
【００５７】
（ｂ）において、アジャストボルト７３を矢印の方向に回転させる。これにより、アジャストボルト７３にねじ結合しためねじ７１ａを備えた取付部材７１が板状突部３３ｂに対して上方へ移動し、この取付部材７１と一体的にテンションローラ６１が白抜き矢印の向き（即ち、上方である。）に移動する。この結果、チェーン５６の張力が増す。図中のδは、このときのテンションローラ６１の移動量、即ち、六角穴付きボルト６６の移動量である。
この後、ロックナット７４を矢印の方向に回転させて締め込む。そして、六角穴付きボルト６６を六角レンチで矢印の方向に回して締め込む。これで、チェーン張力調整が完了する。
【００５８】
次に、図４及び図５において、Ｏリング９１の作用を説明する。
図４において、Ｏリング９１をハブ８７とアウタクラッチ１０４との間に介在させた状態では、Ｏリング９１は圧縮されているために、ハブ８７とアウタクラッチ１０４との間に相対回転させようとするトルクを加えると、ハブ８７とＯリング９１との間、及びＯリング９１とアウタクラッチ１０４との間には大きな摩擦力が発生する。
【００５９】
従って、Ｏリング９１が無いときには、一方向クラッチ８８は一方向への相対回転が許容されるが、この場合はＯリング９１による摩擦力によって上記相対回転が阻止される。即ち、どの回転方向にもハブ８７とアウタクラッチ１０４とは一体的に回転する。
【００６０】
しかし、所定トルクを越えた過大トルクがハブ８７とアウタクラッチ１０４との間に作用すると、上記の摩擦力に抗してハブ８７とＯリング９１との間、又はＯリング９１とアウタクラッチ１０４との間、あるいはそれらの両方で滑りが生じ、ハブ８７とアウタクラッチ１０４とに相対回転が生じる。従って、駆動力伝達部各部、例えば、ハブ８７、被動スプロケット５５、図２に示したチェーン５６、駆動スプロケット５３、変速装置２２等に過負荷が作用するのを防止することができる。
【００６１】
次に、変速装置２２の作用を以下の図１７〜図２０で説明する。
図１７は本発明に係る変速装置の作用を示す第１作用図である。
図１２の状態から、図１７において、変速用ケーブル１５５のインナワイヤ２１７を弛めて矢印の方向へ移動させると、第１リンク１３７と第２リンク１３８との内側に配置したスプリング２３７（図１５参照）の弾性力によって、第１リンク１３７及び第２リンク１３８はケース１１０内の右方（図の下方である。）にスイングし、ガイドプーリー１４３は、白抜き矢印で示すように、ケース１１０内を右方に平行移動する。
【００６２】
図１８は本発明に係る変速装置の作用を示す第２作用図である。
図１３の状態から、図１８において、第１リンク１３７（図１７参照）及び第２リンク１３８（図１７参照）のケース１１０内の右方（図の下方である。）へのスイングに伴って、ブラケット１４１、ガイドプーリー１４３、テンションプーリー１４８は、白抜き矢印で示すように、ケース１１０内を右方で且つ出力軸５２に接近するように平行に移動する。
【００６３】
図１９は本発明に係る変速装置の作用を示す第３作用図である。
図６の状態から、ディレイラー１３１のガイドプーリー１４３が、図１９に示すように、第１リンク１３７及び第２リンク１３８のスイングに伴って、手前側で且つ出力軸５２側へ移動し、変速用スプロケット１２１側から変速用スプロケット１２７側へ変速する。
またこのときに、歯数の少ない変速用スプロケット１２７に変速した状態では、変速用チェーン１２８の長さのうち、大スプロケット１１６及び変速用スプロケット１２７に掛けた変速用チェーン１２８の残りの長さが、図６に示した大スプロケット１１６及び変速用スプロケット１２１に掛けた変速用チェーン１２８の残りの長さよりも長くなるため、テンションプーリー１４８はトーションスプリング２２３，２２４（図１３参照）の回転力によってガイドプーリー１４３の支軸１４２を中心にして矢印で示す方向、即ち時計回りに回転し、変速用チェーン１２８の張力を維持する。
【００６４】
図２０は本発明に係る変速装置の作用を示す第４作用図である。
図７の状態から、変速用チェーン１２８（ここでは、位置が理解しやすいように、黒く塗りつぶした。）が変速用チェーン１２１側から変速用チェーン１２７へ掛け替わると、これに伴って、大スプロケット１１６はケース１１０内をクランク軸２３に沿ってスライド機構１１４の作用によってケース１１０内を左方から右方へ移動する。
【００６５】
図２１は本発明に係るチェーン張力調整装置の別実施形態を示す断面図であり、図３に示した実施形態と同一構成については同一符号を付け、詳細説明は省略する。
チェーン張力調整装置２７０は、六角穴付きボルト６６の先端に取付ナット２７１をねじ込み、テンションローラ移動機構６２にテンションローラ６１を取付ナット２７１で取付けたものである。
このように、ベアリング７７のシール構造を省くことで、チェーン張力調整装置２７０を安価に製造することができる。
【００６６】
以上の図１〜図３で説明したように、本発明は第１に、車体フレーム１１の下部に配置された駆動スプロケット５３と、後輪１８側に取付けられた被動スプロケット５５とにチェーン５６を巻き掛け、このチェーン５６にテンションローラ６１で張力を与えるチェーンテンション構造において、テンションローラ６１を、その回転軸としての六角穴付きボルト６６を車体フレーム１１に設けたブラケットとしての板状突部３３ｂに開けた長穴３３ｃに挿入することで取付けることを特徴とする。
【００６７】
テンションローラ６１の六角穴付きボルト６６を板状突部３３ｂの長穴３３ｃに沿って移動させることでテンションローラ６１の位置を調整することができ、チェーン５６の張力調整を容易に行うことができる。従って、例えば、従来のように、リヤフォークの後端に後輪の車軸を取付けるための長穴を設けた構造において、チェーンの張りを調整するときに、前輪と後輪との距離が変化したり、リヤフォークの左右でそれぞれ車軸位置を調整する必要があるのに比べて、本発明では、前輪１４と後輪１８との距離が変化せず、ダウンヒルバイク１０の旋回性能等の走行性に影響を与えることがない。また、１ヶ所でチェーン５６の張りの調整を行うことが可能になり、チェーン５６の張力の調整作業が簡単になる。
【００６８】
本発明は第２に、板状突部３３ｂを、後輪１８の前端よりも前方に配置されるとともに、車体フレーム１１、詳しくは、後部フレーム３３の後面３３ａに設けることを特徴とする。
【００６９】
板状突部３３ｂ及びテンションローラ６１を車体の中央寄りに配置することができ、車体中央寄りへのマスの集中化を図ることができて、ダウンヒルバイク１０の旋回性能を向上させることができる。また、後輪１８より前方で且つ後部フレーム３３の後面３３ａの近傍の比較的大きなスペースにテンションローラ６１を配置でき、テンションローラ６１でのチェーン張力の調整作業を容易に行うことができる。
【００７０】
本発明は第３に、テンションローラ６１で、チェーン５６を弛み側５６ｂの下方から押圧することを特徴とする。
テンションローラ６１でチェーン５６の弛み側５６ｂの下方から押圧するので、チェーン５６に効果的に張力を与えることができる。また、チェーン５６を下から上へ押圧するため、チェーン５６の中間部の位置が高くなり、地上高を確保することができる。
【００７１】
尚、本実施形態では、図３（ａ）に示したように、板状突部３３ｂを後部フレーム３３に一体に形成したが、これに限らず、後部フレーム３３に、別体のブラケットとしての板状突部を取付けてもよい。
【産業上の利用可能性】
【００７２】
本発明のチェーンテンション構造は、ダウンヒルバイクに好適である。
【図面の簡単な説明】
【００７３】
【図１】本発明に係るチェーンテンション構造を採用した車両の側面図である。
【図２】本発明に係るダウンヒルバイクの要部側面図である。
【図３】本発明に係るチェーン張力調整装置の説明図である。
【図４】本発明に係る後輪への駆動力伝達部の要部を示す断面図である。
【図５】図４の５−５線断面図である。
【図６】本発明に係る変速装置を説明する側面図である。
【図７】本発明に係る変速装置の第１断面図である。
【図８】本発明に係る変速装置の第２断面図である。
【図９】本発明に係る変速装置の第３断面図である。
【図１０】本発明に係るクランク軸及びその周囲の構造を示す要部断面図である。
【図１１】本発明に係る出力軸及びその周囲の構造を示す要部断面図である。
【図１２】本発明に係るディレイラーの構造を示す第１断面図である。
【図１３】本発明に係るディレイラーの構造を示す第２断面図である。
【図１４】本発明に係るクランク軸に設けた一方向クラッチの断面図である。
【図１５】本発明に係るディレイラーの第１リンク及び第２リンクを示す断面図である。
【図１６】本発明に係るチェーン張力調整装置の作用を示す断面図である。
【図１７】本発明に係る変速装置の作用を示す第１作用図である。
【図１８】本発明に係る変速装置の作用を示す第２作用図である。
【図１９】本発明に係る変速装置の作用を示す第３作用図である。
【図２０】本発明に係る変速装置の作用を示す第４作用図である。
【図２１】本発明に係るチェーン張力調整装置の別実施形態を示す断面図である。
【図２２】従来のチェーンテンション構造を示す説明図である。
【符号の説明】
【００７４】
１０…ダウンヒルバイク、１１…車体フレーム、１８…後輪、３３ａ…後面、３３ｂ…ブラケット（板状突部）、３３ｃ…長穴、５３…駆動スプロケット、５５…被動スプロケット、５６…チェーン、５６ｂ…弛み側、６１…テンションローラ、６６…回転軸（六角穴付きボルト）。
【図１】
2005225285.tif 000003
【図２】
2005225285.tif 000004
【図３】
2005225285.tif 000005
【図４】
2005225285.tif 000006
【図５】
2005225285.tif 000007
【図６】
2005225285.tif 000008
【図７】
2005225285.tif 000009
【図８】
2005225285.tif 000010
【図９】
2005225285.tif 000011
【図１０】
2005225285.tif 000012
【図１１】
2005225285.tif 000013
【図１２】
2005225285.tif 000014
【図１３】
2005225285.tif 000015
【図１４】
2005225285.tif 000016
【図１５】
2005225285.tif 000017
【図１６】
2005225285.tif 000018
【図１７】
2005225285.tif 000019
【図１８】
2005225285.tif 000020
【図１９】
2005225285.tif 000021
【図２０】
2005225285.tif 000022
【図２１】
2005225285.tif 000023
【図２２】
2005225285.tif 000024